(57)【要約】【課題】  使用時には食卓や皿等の上に起立状態で載せておいてお玉部からの汁等が外部に流出するのを防止することができ、不使用時には横臥状態にして起立することなく収納しておくことができるお玉を提供する。【解決手段】  お玉部１の重心O1に作用にするモーメントと柄部２の重心O2に作用するモーメントとが釣り合う支点部をお玉部１の外底面における後端部側にも設けられるようにお玉部１と柄部２との重量割合を設定し、使用時においてはお玉の重心下方におけるお玉部１の外底面を載置面に支持させて起立状態に保持する一方、お玉全体を後方に傾動させてお玉の重心が上記支点部から後方に移動した時には、そのまま傾倒して横倒し状態で収納可能となるように構成している。【選択図】    図２
2006271615.tif 000002
【特許請求の範囲】
【請求項１】
外底面を凸円弧状の湾曲面に形成しているお玉部と該お玉部の後部外周縁から後方に向かって斜め上方に突設した柄部とからなるお玉において、お玉を起立させた状態における全体の重心がお玉部側となるようにお玉部と柄部とをそれぞれ所定の重量割合に形成していると共に、柄部を下方に傾動させてお玉部の重心に作用するモーメントと柄部の重心に作用するモーメントとがバランスした際のお玉の支点がお玉部の外底面の後部側にあり、この支点を分岐点として柄部をそれ以上傾動させた時に釣り合いが解消されてお玉が横倒し状態となるように構成していることを特徴とするお玉。
【請求項２】
分岐点部分からお玉部の後面部を柄部の下端に向かって急勾配の傾斜面に形成していることを特徴とする請求項１に記載のお玉。
【請求項３】
分岐点部分の外底面部を、前側の外底面部よりも曲率半径の小さい曲面に形成していることを特徴とする請求項１又は請求項２に記載のお玉。
【請求項４】
分岐点部分の外底面を角部に形成していることを特徴とする請求項１又は請求項２に記載のお玉。
【請求項５】
分岐点又は分岐点近傍部の外底面部に、お玉部の周方向に長い一定高さを有する突条部を形成していることを特徴とする請求項１に記載のお玉。
【請求項６】
お玉部の外底面に数条の揺れ止め用突条部を設けていることを特徴とする請求項１ないし請求項５のうち、いずれか１項に記載のお玉。
【発明の詳細な説明】
【技術分野】
【０００１】
本発明は鍋物等の内容物を掬う際に使用するお玉の改良に関するものである。
【背景技術】
【０００２】
従来からお玉は、碗形状のお玉部の後部外周縁に、後方に向かって斜め上方に所定長さの柄部を一体に突設してなる形状を有しているが、柄部の重量をお玉部の重量よりも大きくして不使用時には横臥状態で収納可能に構成しているために、食事時において鍋内の汁等を掬うのに使用した後においてこのお玉を食卓上等に載置すると、お玉部内に残留する汁が垂れ落ちて卓上を汚損することになる。このため、お玉を適当な皿上に横臥状態に置くことによりお玉部内から流出する汁を皿に受け止めるようにしているのが現状である。
【０００３】
このような問題点を解消するために、例えば、特許文献１に記載されているように、お玉部の後部外周縁に一体に固着している柄部の下端部をお玉部の後面からさらに垂下させてその垂下端部を後方に屈曲させることにより支持脚片に形成し、この支持脚片をお玉部の外底面と共に載置面に受止させてお玉を立設状態に保持するように構成してなるお玉が考案されているが、このようなお玉の構造では、使用時に、上記支持脚片が鍋の口縁に引っ掛かったりして扱い難くなると共に、使用後に洗浄する場合にこの支持脚片によって手等が損傷を受ける虞れがあり、さらに、引き出し等に収納する時には該支持脚片が邪魔になって安定した状態で収納しておくことが困難となる。また、支持脚片を載置面に受止させてお玉を立設させた状態において、柄部に手等が不測に当接して該柄部が傾動した場合、お玉全体がそのまま横方向に倒れてしまって元の状態に自然復帰することはないといった問題点がある。
【０００４】
このため、特許文献２に記載されているように、お玉全体の重心を常にお玉部側に位置するようにお玉部の重量を大きくしてお玉が載置面に対して常に起立状態を保持するように構成したお玉が開発されている。
【特許文献１】実開昭５３−１２８１６７号公報
【特許文献２】実開昭５８−１６３１３９号公報
【発明の開示】
【発明が解決しようとする課題】
【０００５】
しかしながら、上記のようなお玉によれば、お玉部の肉厚を厚くしたり、お玉部内に重錘を入れたりしてお玉部を必要以上にその重量を増大させなければならないため、材料費が高くつくばかりでなく、製作も煩雑化する虞れがあり、その上、お玉を載置面に傾倒状態で載置してもお玉部と柄部とのバランスが常にお玉全体が自然と起立するように設定しているため、横臥させることができず、引き出し内などへの収納、保管が困難となるといった問題点がある。
【０００６】
本発明はこのような問題点に鑑みてなされたもので、その目的とするところは、使用時には、お玉部を載置面に置くことによって載置面上に受止させたお玉部の外底面のみを支点としてお玉全体を自然と起立させておくことができると共に、柄部が傾倒する方向にお玉全体を所定角度以上傾斜させた時に、起立状態に復元することなくそのまま倒れた状態を維持し得るようにしたお玉を提供するにある。
【課題を解決するための手段】
【０００７】
上記目的を達成するために本発明のお玉は、請求項１に記載したように、外底面を凸円弧状の湾曲面に形成しているお玉部と該お玉部の後部外周縁から後方に向かって斜め上方に突設した柄部とからなるお玉において、お玉を起立させた状態における全体の重心がお玉部側となるようにお玉部と柄部とをそれぞれ所定の重量割合に形成していると共に、柄部を下方に傾動させてお玉部の重心に作用するモーメントと柄部の重心に作用するモーメントとがバランスした際のお玉の支点がお玉部の外底面の後部側にあり、この支点を分岐点として柄部をそれ以上傾動させた時に釣り合いが解消されて柄部が横倒し状態となるように構成している。
【０００８】
このように構成したお玉において請求項２に係る発明は、お玉部の重心に作用するモーメントと柄部の重心に作用するモーメントとがバランスする分岐点部分からお玉部の後面部を柄部の下端に向かって急勾配の傾斜面に形成していることを特徴とし、請求項３に係る発明は、上記分岐点部分の外底面部を、前側の外底面部よりも曲率半径の小さい曲面に形成していることを特徴とする。さらに、請求項４に係る発明は上記分岐点部分の外底面を角部に形成していることを特徴としている。
【０００９】
また、請求項５に係る発明は、分岐点又は分岐点近傍部のお玉部の外底面部に、お玉部の周方向に長い一定高さを有する突条部を形成していることを特徴とし、請求項６に係る発明は、上記お玉部の外底面に数条の揺れ止め用突条部を設けていることを特徴とする。
【発明の効果】
【００１０】
請求項１に記載のお玉の構造によれば、外底面を凸円弧状の湾曲面に形成しているお玉部と該お玉部の後部外周縁から後方に向かって斜め上方に突設した柄部とからなるお玉において、お玉を起立させた状態におけるお玉全体の重心がお玉部側となるようにお玉部と柄部とをそれぞれ所定の重量割合に形成していると共に、柄部を下方に傾動させてお玉部の重心に作用するモーメントと柄部の重心に作用するモーメントとがバランスした際の載置面に支持されるお玉の支点をお玉部の外底面の後部側に設けているので、この支点から前側のお玉部の外底面を食卓の卓上等の載置面に置くことによって、お玉全体を自然と起立状態に保持しておくことができ、従って、鍋等の内部の汁などを掬った後においては、お玉部内に残留する汁等が外部に垂れ落ちることなく、お玉部内に保有させておくことができると共に、この状態からお玉が前後左右方向に揺動しても、お玉全体の重心が上記支点から後方に移動しない限り、元の起立状態に自然復帰して残存する汁等が外部に漏出するのを確実に防止することができる。
【００１１】
さらに、使用後において、柄部を後方に傾動させてお玉全体の重心をお玉部と柄部とのモーメントが釣り合った際の載置面に対する支点から後方に移動させることによって、お玉が起立することがない横臥状態に簡単且つ自動的に行わせることができ、従って、引き出し内等への収納、保管等が容易となる。また、お玉部の外底面部を分岐点部分を含めて全面的に曲率半径の大きい曲面に形成しておくことによって、お玉を後方に傾倒させても柄部が載置面に直接、衝撃的に当接するようなことはなく、お玉部の後部側の曲面を介して柄部の後面が載置面に当接し、静かに且つ安定的に傾倒させることができる。
【００１２】
上記お玉において、請求項２に係る発明によれば、上記分岐点部分からお玉部の後面部を柄部の下端に向かって急勾配の傾斜面に形成しているので、お玉を立設した状態から後方に傾動させてお玉全体の重心が上記急勾配の傾斜面の下端上方から後方側に移動した時に、急速に傾倒して簡単に収納可能な横臥状態にすることができると共に、この急勾配の傾斜面を柄部の背面に面一状に連続した形状に形成しておくことによって引き出し等の内底面にその傾斜面から柄部の背面全面を載せた安定した形態で収納、保管しておくことができる。その上、この収納、保管状態において、振動等の外力によりお玉が不測に起立する方向に付勢されても、この傾斜面が起立を阻止する方向に作用して横臥状態を維持させておくことができる。
【００１３】
さらに、請求項３に記載したように、上記分岐点部分の外底面部を、前側の外底面部よりも曲率半径の小さい曲面に形成しておくことによって、お玉を後方に傾動させてその重心をこの曲面上から後方に移動させた時には、曲率半径の小さいこの曲面が載置面上を瞬時に移動してお玉の傾倒動作が素早く行えるものであり、また、起立方向に対しては該曲面が障壁面となって安定した横臥状態を維持することができる。この場合、請求項４に記載したように、お玉部の分岐点部分の外底面を角部に形成しておくことによって、お玉の重心が分岐点上から後方に移動した時に、分岐点が載置面に対して移動することなく該分岐点を支点としてお玉の傾倒動作が瞬時に行わせることができる。また、起立方向に対しては、その角部が突っ張り作用を奏して起立をし難くし、安定した横臥状態を維持しておくことができる。
【００１４】
請求項５に係る発明においては、上記分岐点又は分岐点近傍部のお玉部の外底面部に、お玉部の周方向に長い一定高さを有する突条部を形成しているので、お玉を立設させた使用状態において、不測にお玉が揺動しても、突条部が載置面に係止してお玉全体の重心が分岐点から後方に移動するのを阻止することができ、従って、使用時には安定した起立状態を保持することができると共に、不使用時には、柄部を後方に傾動させて設置面に支持されたお玉全体の重心を、この突条部を乗り越えてお玉部の後部側に移動させれば、お玉が急速に傾倒して横臥状態にすることができる。さらに、この横臥状態から起立させようとしても、この突条部が突っ張り作用を奏して起立をし難くし、安定した横臥状態を維持しておくことができる。
【００１５】
上記のように構成したお玉において、請求項６に係る発明は、お玉部の外底面に数条の揺れ止め用突条部を設けているので、お玉を起立させた使用状態においては、これらの突条部が載置面に係止してお玉が不測に揺動するのを確実に防止することができ、安定した状態で起立させておくことができると共に、横臥状態において、振動等の外力によってお玉が不測に起立する方向に付勢されても、上記急勾配の傾斜面と同様に、この突起によって起立するのを確実に阻止することができる。
【発明を実施するための最良の形態】
【００１６】
次に、本発明の具体的な実施の形態を図面について説明すると、図１において、お玉Ａは浅底の碗形状に形成されたお玉部１とこのお玉部１の後部外周縁から後方に向かって斜め上方に突設した柄部２とからなり、お玉部１の外底面と内部における内底面とを緩やかな曲面状に湾曲した下向き凸円弧状面1aに形成している。一方、柄部２はその下端部をお玉部１の後部外周縁の一部にこの外周部における円弧状面に対して接線方向に向けた状態で一体に連設させてあり、さらに、お玉部１の上端面に対するこの柄部２の長さ方向の角度は100 〜135 度に形成されている。
【００１７】
このお玉Ａは、ステンレスやアルミニウム等の金属製であっても、ナイロンなどの耐熱性及び強度に優れた合成樹脂製であってもよいが、全体の重量は調理用として使用に適するようにた30〜150 ｇにしておくことが望ましい。
【００１８】
そして、お玉Ａの全体の重心の位置をＯ、お玉部１と柄部２の重心の位置をそれぞれO1、O2、お玉部１と柄部２と重量をそれぞれW1、W2とし、お玉Ａを起立させた状態において食卓や皿等の載置面Ｂに支持されたお玉部１の外底面部を支点Ｘとすると共に、この支点Ｘからのお玉部１と柄部２の重心O1、O2までの距離をそれぞれL1、L2とすると、お玉部１の重心O1に作用するモーメント、即ち、W1×L1と、柄部２の重心O2に作用するモーメント、即ち、W2×L2とが釣り合っている状態においてはお玉Ａが図１に示すように起立状態を保持しており、この起立状態からお玉Ａが前後方向に所定角度だけ傾動すると、お玉部１と柄部２の重心O1、O2の位置が変化すると共に載置面Ｂに対する支点Ｘが前後方向に移動するが、前側に傾動した場合にはお玉Ａの重心Ｏが支点Ｘ上よりも後方に移動し、後側に傾動した場合にはお玉Ａの重心Ｏが支点Ｘ上よりも前側に移動して元の起立状態に復帰するように構成している。
【００１９】
さらに、お玉Ａが後方に傾動してその角度が上記所定角度に近づくに従ってお玉Ａの重心Ｏが支点Ｘの上方に接近し、その傾斜角度に達して重心Ｏが該支点Ｘ上に位置すると、図２に示すように、再び、お玉部１のモーメントの柄部２のモーメントが釣り合い、次いで、この支点Ｘ上からお玉Ａの重心Ｏが後方に移動すると、バランスが崩れてお玉Ａが起立状態に復元することなくそのまま傾倒して図３に示すように、柄部２を載置面Ｂに載せた横臥状態となるように、お玉部１と柄部２との重量割合と重心の位置を設定していると共にお玉部１の外底面を所定の湾曲度となるように設定している。そして、お玉Ａが元の起立状態に復帰するか、或いは、そのまま後方に傾倒するかの境目である上記所定角度まで後方に傾動した時の支点Ｘの位置を分岐点X1としている。
【００２０】
従って、使用時にお玉部１の外底面中央部を載置面Ｂに置くと、お玉Ａが起立状態を保持し、この状態からお玉Ａが前後方向に所定の傾斜角度以下の範囲内で揺動しても元の起立状態に復帰するが、お玉Ａが後方に所定の角度以上、傾動してお玉Ａの重心Ｏが上記分岐点X1上から後方に移動すると、柄部２の重心O2に作用するモーメントがお玉部１の重心O1に作用するモーメントよりも大きくなって上述したようにお玉Ａが後方に倒れ、お玉部１の緩やかな凸円弧面を載置面に接して移動させながら静かに且つ安定的に傾倒させることができる。
【００２１】
お玉部１に対する柄部２の傾斜角度を一定として、お玉部１と柄部２とを上記のように所定の重量割合となるように設定するに際して、両者とも重い材料から形成すると、使用し難くなるばかりでなく、上記のようにこれらのお玉部１と柄部２とが支点X1で釣り合うように重量調整をするのが困難であり、そのため、お玉Ａを金属材料から構成する場合、アルミニウムのような軽金属材料から構成し、重量調整にはステンレスを重錘としてお玉部１の一部、特に前半部に一体に設けておくことが好ましい。また、お玉Ａを合成樹脂から構成する場合、お玉部１内にステンレス等の重量の大なる重錘を充填して上述したようにお玉部１と柄部２とが支点X1で釣り合うように構成しておけばよい。また、お玉部１と柄部２とは一体成形であってもよく、図４に示すように別体に形成しておいてお玉部１の後端部外周縁に柄部２の下端をビス等により固着した構造としておいてもよい。
【００２２】
上記図１に示したお玉Ａにおいては、お玉部１の外底面1aをその中央部から外周縁に向かって全面的に緩やかな凸状湾曲面に形成しているが、お玉部１の外底面1aにおける後面部を上記分岐点部分から柄部の下端に向かって急勾配の傾斜面に形成しておいてもよい。図５に示すお玉Ａは、その分岐点X1部分のお玉部１の外底面部を、該分岐点X1部分から前側の外底面部よりも曲率半径の小さい急カーブな曲面1a' に形成し、曲面1a' の後端から柄部２の下端に向かってお玉部１の後面部を水平面に対して急勾配の傾斜面1a''に形成し、柄部２の下端に面一状に連続させた構造としている。
【００２３】
このように構成しておくと、お玉部１を載置面Ｂ上に立設させた状態から後方に傾動してお玉Ａの重心が上記分岐点X1を越えた時に急激に傾倒させることができて簡単且つ確実に収納可能な横臥状態にすることができると共に、この状態からお玉Ａに起立する方向の外力が不測に付勢されても、急カーブな曲面1a' によって起立するのを確実に阻止し、横臥状態を維持させておくことができる。
【００２４】
図６に示すお玉Ａは、上記分岐点X1部分の外底面部をお玉部１の周方向に長い角部1bに形成し、この角部1bの先鋭端を分岐点X1としている。この場合、上記のようにお玉部１の外底面1aを全面的に凸円弧状の湾曲面に形成しておくと、お玉Ａが後方に傾動するに従って支点Ｘが後方に移動し、分岐点X1に達してお玉Ａが倒れる時にも連続的に移動するが、このように分岐点部分を角部1bに形成しておくと、重心がこの分岐点X1上に達する前から該分岐点X1が載置面Ｂに支持された状態となり、この状態からさらにお玉Ａが後方に傾動して該お玉Ａの重心Ｏが分岐点X1上からこの分岐点X1を通過しても分岐点X1（支点Ｘ）は移動することなく、図７に示すように該分岐点X1を支点としてお玉Ａが後方に倒れることになる。
【００２５】
また、上記分岐点X1がお玉部１における凸円弧状の外底面1a側にあって角部1bがこの分岐点X1の後方近傍部に形成されている場合には、お玉Ａの重心が分岐点X1の上方部を後方に移動すると角部1bの先鋭端が直ちに載置面Ｂ上に位置し、該角部1bを支点として後方に急速に倒れ、お玉部１の後面から柄部２の背面を載置面Ｂに載せた横臥状態となる。この状態においては、お玉Ａを起立させようとしても、角部1bが突っ張り作用を奏して起立をし難くし、安定した横臥状態を維持しておくことができる。
【００２６】
図８は本発明の更に別な実施の形態を示すもので、上記分岐点X1又はこの分岐点近傍部の外底面部を、上記角部1bに代えてお玉部の周方向に長い一定高さを有する突条部３に形成している。このように構成しておくと、お玉Ａを立設させた使用状態において、不測にお玉Ａが揺動しても、係止突起３が載置面Ｂに係止してお玉全体の重心が分岐点X1から後方に移動するのを阻止することができると共に、不使用時には、柄部２を後方に傾動させて載置面Ｂに支持された外底面1aを突条部３を乗り越えてお玉部１の後部側に移動させれば、お玉Ａを急速に傾倒させて横置状態にすることができるものであり、その状態から不測に起立するのをこの突条部３によって確実に阻止することができる。
【００２７】
また、上記いずれの実施の形態においても、図９に示すようにそのお玉部１の外底面の中央部に小間隔を存して比較的高さの低い数条の揺れ止め用突条部４、４を設けておいてもよく、このように構成しておくことによって、起立させた使用状態において載置面Ｂが振動しても、お玉Ａが揺動する虞れはなく安定した起立状態を保持させることができる。なお、この様な突条部に代えてお玉部１の外底面の中央部を平坦な面に形成しておいてもよい。さらに、お玉部１に汁を通過させる多数の小孔を形成しておいてもよく、或いは、網状の油かす取り部を設けておいてもよい。
【図面の簡単な説明】
【００２８】
【図１】お玉を起立させた使用状態を示す一部を断面した側面図。
【図２】お玉が分岐点を支点としてバランスした状態を示す側面図。
【図３】倒した状態を示す側面図。
【図４】変形例を示す側面図。
【図５】分岐点部分を急カーブ面に形成しているお玉の側面図。
【図６】分岐点部分を角部に形成しているお玉の側面図。
【図７】倒した状態を示す側面図。
【図８】分岐点部分に突条部を形成しているお玉の側面図。
【図９】外底面に数条の突条部を突設した状態の底面図。
【符号の説明】
【００２９】
Ａ  お玉
Ｂ  載置面
１  お玉部
1a'   曲率半径の小さい曲面
1b  角部
２  柄部
３  突条部
Ｏ  お玉の重心
O1  お玉部の重心
O2  柄部の重心
X1  分岐点
【図１】
2006271615.tif 000003
【図２】
2006271615.tif 000004
【図３】
2006271615.tif 000005
【図４】
2006271615.tif 000006
【図５】
2006271615.tif 000007
【図６】
2006271615.tif 000008
【図７】
2006271615.tif 000009
【図８】
2006271615.tif 000010
【図９】
2006271615.tif 000011